(57)【要約】【課題】操作ペダルを踏み込むだけで支柱本体を突っ張り固定でき、従って、非力なユーザーを含む誰もが支柱の設置を軽快かつ迅速に行える突っ張り型支柱を提供する。【解決手段】天井側パイプ４および床側パイプ５を含む支柱本体１と、伸縮ロック具６と、天井ベース２および突っ張り構造３を備えている。突っ張り構造３は、固定ベース２１と、床側パイプ５を上下操作する昇降機構と、床側パイプ５を突っ張り位置で下降不能にロックするロック機構を備えている。昇降機構は、リフトピン４４と、同ピン４４に連結される操作ペダル４５と、操作ペダル４５の踏込み力を受止めるペダル支持体４６を含む。操作ペダル４５を踏込むと、操作ペダル４５がペダル支持体４６から踏込み反力を受けながらリフトピン４４の周りに揺動して床側パイプ５を上昇操作する。上昇する床側パイプ５と同行する部材をロック機構で係合して、支柱本体１を突っ張り状態にロック保持する。【選択図】図１
2016125631.tif 000002
【特許請求の範囲】
【請求項１】
相対スライド自在に差込み連結される天井側パイプ（４）および床側パイプ（５）を含む支柱本体（１）と、各パイプ（４・５）の連結部分に設けられてパイプ同士の伸縮を阻止する伸縮ロック具（６）と、支柱本体（１）の突っ張り端部に設けられる天井ベース（２）および突っ張り構造（３）と、天井ベース（２）に配置されて支柱本体（１）に突っ張り力を付与する弾性体（１６）とを備えている突っ張り型支柱であって、
突っ張り構造（３）は、床面に設置されて床側パイプ（５）を上下スライド自在に支持する固定ベース（２１）と、床側パイプ（５）と固定ベース（２１）との間に設けられて床側パイプ（５）を上下操作する昇降機構と、昇降機構で上昇操作された床側パイプ（５）を突っ張り位置で下降不能にロックするロック機構とを備えており、
昇降機構は、床側パイプ（５）に固定されて、固定ベース（２１）で上下スライド可能に支持されるリフトピン（４４）と、床側パイプ（５）の外に配置されてリフトピン（４４）に対して揺動可能に連結される操作ペダル（４５）と、固定ベース（２１）に設けられて操作ペダル（４５）の踏込み力を受止めるペダル支持体（４６）を含み、
操作ペダル（４５）が踏込み操作される状態では、操作ペダル（４５）がペダル支持体（４６）から踏込み反力を受けながらリフトピン（４４）の周りに揺動して、床側パイプ（５）およびリフトピン（４４）を突っ張り位置へ向かって上昇操作させ、支柱本体（１）で弾性体（１６）を圧縮変形でき、
床側パイプ（５）が操作ペダル（４５）で突っ張り位置へ移動操作された状態において、床側パイプ（５）ないし同パイプと同行移動する部材をロック機構で係合捕捉して、支柱本体（１）を突っ張り状態にロック保持することを特徴とする突っ張り型支柱。
【請求項２】
ペダル支持体が、固定ベース（２１）で回転自在に軸支したカムローラー（４６）からなり、
操作ペダル（４５）にカムローラー（４６）に外接するカム体（５７）が設けられており、
操作ペダル（４５）が踏込み操作される状態では、操作ペダル（４５）がカムローラー（４６）からカム体（５７）を介して踏込み反力を受けながらリフトピン（４４）の周りに揺動して、床側パイプ（５）およびリフトピン（４４）を突っ張り位置へ向かって上昇操作する請求項１に記載の突っ張り型支柱。
【請求項３】
ペダル支持体がリンク（４６）で構成されて、その一端および他端が、固定ベース（２１）および操作ペダル（４５）にそれぞれ相対回転可能に連結されており、
操作ペダル（４５）が踏込み操作される状態では、操作ペダル（４５）がリンク（４６）から踏込み反力を受けながらリフトピン（４４）の周りに揺動して、床側パイプ（５）およびリフトピン（４４）を突っ張り位置へ向かって上昇操作する請求項１に記載の突っ張り型支柱。
【請求項４】
床側パイプ（５）の内部にスライドベース（３７）が固定されて、床側パイプ（５）がスライドベース（３７）を介して固定ベース（２１）で上下スライド自在に支持されており、
固定ベース（２１）の上端にばね受体（８１）を固定して、ばね受体（８１）の上端のばね受座（８２）がスライドベース（３７）の上端上方に位置させてあり、
ばね受座（８２）とスライドベース（３７）との間に、スライドベース（３７）および床側パイプ（５）を押下げ付勢する補助ばね（８３）が設けてある請求項１から３のいずれかひとつに記載の突っ張り型支柱。
【請求項５】
ロック機構が、固定ベース（２１）の内部に配置されるフック体（７２）と、床側パイプ（５）と同行移動してフック体（７２）で下降不能に係合捕捉されるロックピン（７３）とを含み、
フック体（７２）は固定ベース（２１）に設けたフックピン（７８）で軸支されて、ロックピン（７３）を係合捕捉するロック姿勢と、ロックピン（７３）との係合を解除するロック解除姿勢とに揺動可能に支持されており、
床側パイプ（５）が操作ペダル（４５）で突っ張り位置へ移動操作された状態において、ロックピン（７３）をフック体（７２）で係合捕捉して、支柱本体（１）を突っ張り状態にロック保持する請求項１から４のいずれかひとつに記載の突っ張り型支柱。
【請求項６】
フック体（７２）がリフトピン（４４）の昇降軌跡の上部に臨んで配置されており、
床側パイプ（５）が操作ペダル（４５）で突っ張り位置へ移動操作された状態において、リフトピン（４４）をフック体（７２）で係合捕捉して、支柱本体（１）を突っ張り状態にロック保持しており、
リフトピン（４４）がロック機構のロックピン（７３）を兼ねている請求項５に記載の突っ張り型支柱。
【請求項７】
床側パイプ（５）のリフトピン（４４）より上方位置に先導ピン（５０）が固定されて、先導ピン（５０）が固定ベース（２１）で上下スライド可能に案内されており、
操作ペダル（４５）が踏込み操作される状態において、リフトピン（４４）に先行して先導ピン（５０）がフック体（７２）に接当して、フック体（７２）をリフトピン（４４）の昇降軌跡の外へ退避操作する請求項５または６に記載の突っ張り型支柱。
【請求項８】
固定ベース（２１）に、フック体（７２）をロック姿勢からロック解除姿勢に切換えるロック解除機構が設けられ、操作ペダル（４５）にロック解除機構を切換え操作するロック解除ペダル（８８）が設けられており、
ロック解除機構は、レバー端が固定ベース（２１）で揺動可能に支持されるロック解除レバー（８９）と、ロック解除レバー（８９）を復帰付勢するレバーばね（９０）と、ロック解除レバー（８９）の揺動動作をフック体（７２）に伝える連結ロッド（９１）を含み、
連結ロッド（９１）は、固定ベース（２１）で上下スライドのみ可能に案内されて、その下端がロック解除レバー（８９）に連繋され、その上部がフック体（７２）に連結されており、
ロック解除ペダル（８８）が踏込み操作されるときの、ロック解除レバー（８９）の揺動動作を連結ロッド（９１）でフック体（７２）に伝えて、フック体（７２）の姿勢をロック姿勢からロック解除姿勢に切換える請求項５から７のいずれかひとつに記載の突っ張り型支柱。
【請求項９】
操作ペダル（４５）が、カム体（５７）を備えたペダル基部（５４）と、ペダル基部（５４）に連続する踏枠部（５５）とを備えており、
ロック解除ペダル（８８）が、操作ペダル（４５）の踏枠部（５５）で出退揺動可能に支持したペダル本体（１０４）と、ペダル本体（１０４）を踏枠部（５５）の上面外方へ向かって突出付勢するペダルばね（１０５）を備えており、
踏枠部（５５）の上面に突出するペダル本体（１０４）の外面が、踏枠部（５５）で開閉可能に支持した保護カバー（６０）で覆われており、
保護カバー（６０）を閉じた状態では、保護カバー（６０）を踏込み操作して操作ペダル（４５）を揺動操作でき、保護カバー（６０）を開放した状態では、ロック解除ペダル（８８）を踏込み操作して、フック体（７２）をロック解除操作できる請求項８に記載の突っ張り型支柱。
【請求項１０】
フック体（７２）にリフトピン（４４）を係合捕捉するロック爪（７６）が設けられており、
保護カバー（６０）を開放して、ロック解除ペダル（８８）が操作ペダル（４５）とともに踏込み下限位置まで踏込踏込み操作される状態において、
ロック解除レバー（８９）が解除ペダル（８８）で下方揺動操作されるのに先行して、リフトピン（４４）が僅かに上昇してロック爪（７６）から分離するように構成してある請求項８または９に記載の突っ張り型支柱。
【請求項１１】
ロック解除機構に、ロック解除レバー（８９）をロック解除位置で位置保持するストップレバー（１１１）が設けられており、
ストップレバー（１１１）の一端には、ロック解除レバー（８９）と係合するストップ爪（１１４）が設けられ、ストップレバー（１１１）の他端には、リフトピン（４４）で変位操作される受動腕（１１３）が設けられており、
ストップレバー（１１１）は、固定ベース（２１）に設けたレバーピン（１１５）で揺動可能に軸支されて、ストップばね（１１２）でロック解除レバー（８９）と係合する向きに付勢されており、
ロック解除レバー（８９）がストップレバー（１１１）でロック解除位置に係合保持された状態では、受動腕（１１３）がリフトピン（４４）の昇降軌跡と交差しており、
フック体（７２）から分離したリフトピン（４４）が下降移動する間に、受動腕（１１３）をストップばね（１１２）の付勢力に抗して揺動操作することによりストップレバー（１１１）を復帰操作して、ストップレバー（１１３）とロック解除レバー（８９）の係合を解除する請求項８から１０のいずれかひとつに記載の突っ張り型支柱。
【請求項１２】
連結ロッド（９１）に設けた解除操作ロッド（１００）の上端がばね受体（８１）の上方に突出されており、
伸縮ロック具（６）を緩め操作して床側パイプ（５）の内部に天井側パイプ（４）を差込んだ状態において、天井側パイプ（４）の下端で解除操作ロッド（１００）を下降操作してフック体（７２）をロック解除操作する請求項８から１１のいずれかひとつに記載の突っ張り型支柱。
【発明の詳細な説明】
【技術分野】
【０００１】
本発明は、天井と床との間に設置される突っ張り型支柱に関する。突っ張り型支柱は、例えば、室内空間の任意の場所に手摺を設置する際の支柱として使用される。
【背景技術】
【０００２】
本出願人は、この種の支柱を先に提案している（特許文献１）。そこでは、下端に床置き部材が設けられる下側の径大パイプと、上端に天井ベースが設けられる径小パイプとで支柱本体を構成している。径小パイプは、径大パイプの内部に差込み連結されており、両パイプの間には、パイプ同士の伸縮を阻止するロック具（突っ張り構造）が設けてある。ロック具は、径大パイプの上端に固定される固定リングと、径小パイプに外嵌する締結リングと、締結リングに揺動可能に設けられるハンドルと、固定リングとハンドルとを連結する一対のリンクを備えている。ハンドルは、水平姿勢のロック解除状態と、同状態から押し下げられた垂直姿勢のロック状態に揺動操作できる。天井ベースには圧縮コイルばねが配置されており、支柱を天井面と床面との間に設置した状態において、圧縮コイルばねで突っ張り力を発生させている。締結リングとハンドルとの間には、締結リングを拡縮変形させるカム機構が設けられている。
【０００３】
支柱を設置する際には、ロック具のハンドルを水平姿勢にした状態で、床面に床置き部材を載置し、径小パイプを上方に引き出して天井ベースを天井に接当させ、支柱本体を仮設置する。つぎに、ロック具のハンドルを水平姿勢から押下げ操作すると、締結パイプがカム機構で縮径変形されて径小パイプをロック保持する。同時に、径小パイプおよび締結パイプをリンクで上方に押上げて圧縮コイルばねを圧縮変形させ、天井面と床面との間に支柱本体を突っ張り固定する。
【０００４】
この種の支柱は、特許文献２にも開示されている。そこでは、下端に設置部が設けられる下側の第１柱体と、上端に突張力調整部と天井当接材とが設けられる上側の第２柱体とで支柱本体を構成している。第１柱体と第２柱体とは伸縮可能に差込み連結されており、両柱体の間に突張力付与部（突っ張り構造）が設けられている。突張力付与部は、第１柱体の上端に固定されるジョイント体と、ジョイント体で上下揺動可能に支持されるハンドルと、第２柱体に固定されるラックを備えた調整杆などで構成してある。ハンドルには前記ラックと噛合うピニオンギヤが設けられている。突張力調整部には、突っ張り力を発生させるためのコイルバネが配置されている。
【０００５】
支柱を設置する際には、天井当接材と天井面とが僅かな隙間を介して対向するように、第１柱体から第２柱体を引出す。この状態で、ラックの上部寄りにハンドルのピニオンギヤが噛合するように、調整杆の第２柱体に対する固定位置を調整したのち、ハンドルを押下げ操作してピニオンギヤでラックを押上げる。結果、第２柱体が上方へ押上げられてコイルバネを圧縮させるので、支柱本体を天井面と床面との間に突っ張り固定できる。
【０００６】
特許文献３には、足踏み操作により昇降操作できるパイプ支柱が開示されている。そこでは、下側の外管と、外管に差込み連結される上側の内管と、外管の下側に設けられる微動揚降ジャッキ（突っ張り構造）とを備えている。微動揚降ジャッキは、ジャッキ内管とジャッキ外管とを備えており、ジャッキ内管には雌ネジ体が固定され、ジャッキ外管には雌ネジ体と噛み合う雄ネジが回転自在に支持されている。雄ネジの下部にはウオームホイールが設けてあり、ジャッキ外管には、ウオームホイールと噛合うウオームが回転自在に支持してある。ジャッキ外管の両側外面には、ウオームと一体の突出軸が突出しており、突出軸に連結した足踏みジャーナルでウオームおよびウオームホイールを回転操作することにより、雄ネジを回転させてジャッキ内管を揚降操作する。
【０００７】
足踏みジャーナルは、基台で上下揺動可能に支持されるペダル板レバー（操作ペダル）、および腕体と、ペダル板レバーを押し上げ付勢するスプリングと、ラチェット車を含むラチェット機構などを備えており、ラチェット車には、微動揚降ジャッキの突出軸を係合するための挿入孔が設けてある。パイプ支柱を設置する場合には、内管と外管を天井と床面の間に仮設置したのち、足踏みジャーナルの挿入孔を突出軸に連結する。この状態でペダル板レバーを足で踏込んでウオームを回転させ、ウオームホイールを介して雄ネジを回転操作することにより、ジャッキ内管をジャッキ外管に対して揚降操作する。
【先行技術文献】
【特許文献】
【０００８】
【特許文献１】特開２００３−２０６６４０号公報
【特許文献２】特開２００８−６３７６０号公報
【特許文献３】実公昭４３−６６９４号公報
【発明の概要】
【発明が解決しようとする課題】
【０００９】
特許文献１および特許文献２の支柱は、支柱本体を仮設置したのちは、手でハンドルを揺動操作するだけで、天井面と床面との間に支柱を設置できる。しかし、突っ張り力を作用させるコイルばねの付勢力に抗しながら、ハンドルを揺動操作しなければならないので、誰でもが支柱を突っ張り固定できるわけではない。例えば、充分な腕力を備えていないことが多い女性や高齢者の場合には、天井ベースに設けた圧縮コイルばねのばね力に抗しながらハンドルを最後まで揺動操作するのが難しく、支柱を確実に突っ張り固定できない。また、支柱に手摺が組付けてある場合には、手摺の利用者が誤って接触するのを避けるために、突っ張り構造が支柱本体の高所に設けられているため、ハンドルを揺動操作しづらく支柱の設置を簡便に行えない要因のひとつであった。
【００１０】
特許文献３の微動揚降ジャッキによれば、足踏みジャーナルを繰返し踏込むことにより支柱を突っ張り固定できる。しかし、ペダル板レバーを１回踏み込んだ時のウオームの回転角度が小さく、さらにウオームで回転操作されたウオームホイールの回転角度がごく微量でしかないため、十分な突っ張り力を得るには、ペダル板レバーを繰返し踏込む必要があり支柱の設置に多くの時間と手間が掛かる。
【００１１】
本発明の目的は、突っ張り構造の操作ペダルを踏み込むだけで、支柱本体を速やかに突っ張り固定でき、従って、非力なユーザーを含む誰もが支柱の設置を軽快かつ迅速に行える突っ張り型支柱を提供することにある。
本発明の目的は、必要に応じてロック解除機構を操作するだけで、突っ張り構造をロック解除状態に切換えて、支柱を簡便に撤去することができる突っ張り型支柱を提供することにある。
本発明の目的は、ロック解除機構が誤ってロック解除操作されるのを規制でき、従って、使用時の安全性に優れた突っ張り型支柱を提供することにある。
【課題を解決するための手段】
【００１２】
本発明に係る突っ張り型支柱は、相対スライド自在に差込み連結される天井側パイプ４および床側パイプ５を含む支柱本体１と、各パイプ４・５の連結部分に設けられてパイプ同士の伸縮を阻止する伸縮ロック具６と、支柱本体１の突っ張り端部に設けられる天井ベース２および突っ張り構造３と、天井ベース２に配置されて支柱本体１に突っ張り力を付与する弾性体１６とを備えている。突っ張り構造３は、床面に設置されて床側パイプ５を上下スライド自在に支持する固定ベース２１と、床側パイプ５と固定ベース２１との間に設けられて床側パイプ５を上下操作する昇降機構と、昇降機構で上昇操作された床側パイプ５を突っ張り位置で下降不能にロックするロック機構とを備えている。昇降機構は、床側パイプ５に固定されて、固定ベース２１で上下スライド可能に支持されるリフトピン４４と、床側パイプ５の外に配置されてリフトピン４４に対して揺動可能に連結される操作ペダル４５と、固定ベース２１に設けられて操作ペダル４５の踏込み力を受止めるペダル支持体４６を含む。操作ペダル４５が踏込み操作される状態では、操作ペダル４５がペダル支持体４６から踏込み反力を受けながらリフトピン４４の周りに揺動して、床側パイプ５およびリフトピン４４を突っ張り位置へ向かって上昇操作する。同時に、支柱本体１で弾性体１６を圧縮変形する。床側パイプ５が操作ペダル４５で突っ張り位置へ移動操作された状態において、床側パイプ５ないし同パイプと同行移動する部材をロック機構で係合捕捉して、支柱本体１を突っ張り状態にロック保持することを特徴とする。
【００１３】
ペダル支持体は、固定ベース２１で回転自在に軸支したカムローラー４６からなる。操作ペダル４５にカムローラー４６に外接するカム体５７を設ける。操作ペダル４５が踏込み操作される状態では、操作ペダル４５がカムローラー４６からカム体５７を介して踏込み反力を受けながらリフトピン４４の周りに揺動して、床側パイプ５およびリフトピン４４を突っ張り位置へ向かって上昇操作する。
【００１４】
図２１に示すように、ペダル支持体はリンク４６で構成する。リンク４６の一端および他端は、固定ベース２１および操作ペダル４５にそれぞれ相対回転可能に連結する。操作ペダル４５が踏込み操作される状態では、操作ペダル４５がリンク４６から踏込み反力を受けながらリフトピン４４の周りに揺動して、床側パイプ５およびリフトピン４４を突っ張り位置へ向かって上昇操作する。
【００１５】
床側パイプ５の内部にスライドベース３７を固定する。床側パイプ５はスライドベース３７を介して固定ベース２１で上下スライド自在に支持する。固定ベース２１の上端にばね受体８１を固定して、ばね受体８１の上端のばね受座８２をスライドベース３７の上端上方に位置させる。ばね受座８２とスライドベース３７との間に、スライドベース３７および床側パイプ５を押下げ付勢する補助ばね８３を設ける。
【００１６】
ロック機構は、固定ベース２１の内部に配置されるフック体７２と、床側パイプ５と同行移動してフック体７２で下降不能に係合捕捉されるロックピン７３とを含む。フック体７２は固定ベース２１に設けたフックピン７８で軸支されて、ロックピン７３を係合捕捉するロック姿勢と、ロックピン７３との係合を解除するロック解除姿勢とに揺動可能に支持する。床側パイプ５が操作ペダル４５で突っ張り位置へ移動操作された状態において、ロックピン７３をフック体７２で係合捕捉して、支柱本体１を突っ張り状態にロック保持する。
【００１７】
フック体７２はリフトピン４４の昇降軌跡の上部に臨んで配置する。床側パイプ５が操作ペダル４５で突っ張り位置へ移動操作された状態において、リフトピン４４をフック体７２で係合捕捉して、支柱本体１を突っ張り状態にロック保持する。リフトピン４４がロック機構のロックピン７３を兼ねるようにする。
【００１８】
床側パイプ５のリフトピン４４より上方位置に先導ピン５０を固定する。先導ピン５０は固定ベース２１で上下スライド可能に案内する。操作ペダル４５が踏込み操作される状態において、図１６に示すように、リフトピン４４に先行して先導ピン５０がフック体７２に接当して、フック体７２をリフトピン４４の昇降軌跡の外へ退避操作する。
【００１９】
固定ベース２１に、フック体７２をロック姿勢からロック解除姿勢に切換えるロック解除機構を設け、操作ペダル４５にロック解除機構を切換え操作するロック解除ペダル８８を設ける。ロック解除機構は、レバー端が固定ベース２１で揺動可能に支持されるロック解除レバー８９と、ロック解除レバーを復帰付勢するレバーばね９０と、ロック解除レバー８９の揺動動作をフック体７２に伝える連結ロッド９１を含む。連結ロッド９１は、固定ベース２１で上下スライドのみ可能に案内されて、その下端がロック解除レバー８９に連繋され、その上部がフック体７２に連結されている。図１８に示すように、ロック解除ペダル８８が踏込み操作されるときに、ロック解除レバー８９の揺動動作を連結ロッド９１でフック体７２に伝えて、フック体７２の姿勢をロック姿勢からロック解除姿勢に切換える。
【００２０】
操作ペダル４５は、カム体５７を備えたペダル基部５４と、ペダル基部５４に連続する踏枠部５５とを備えている。ロック解除ペダル８８は、操作ペダル４５の踏枠部５５で出退揺動可能に支持したペダル本体１０４と、ペダル本体１０４を踏枠部５５の上面外方へ向かって突出付勢するペダルばね１０５を備えている。踏枠部５５の上面に突出するペダル本体１０４の外面を、踏枠部５５で開閉可能に支持した保護カバー６０で覆う。図１６に示すように、保護カバー６０を閉じた状態では、保護カバー６０を踏込み操作して操作ペダル４５を揺動操作でき、図１８に示すように、保護カバー６０を開放した状態では、ロック解除ペダル８８を踏込み操作して、フック体７２をロック解除操作できる。
【００２１】
フック体７２にリフトピン４４を係合捕捉するロック爪７６を設ける。保護カバー６０を開放して、ロック解除ペダル８８が操作ペダル４５とともに踏込み下限位置まで踏込踏込み操作される状態において、ロック解除レバー８９が解除ペダル８８で下方揺動操作されるのに先行して、リフトピン４４が僅かに上昇してロック爪７６から分離できるように構成する。
【００２２】
ロック解除機構に、ロック解除レバー８９をロック解除位置で位置保持するストップレバー１１１を設ける。ストップレバー１１１の一端には、ロック解除レバー８９と係合するストップ爪１１４を設け、ストップレバー１１１の他端には、リフトピン４４で変位操作される受動腕１１３を設ける。ストップレバー１１１は、固定ベース２１に設けたレバーピン１１５で揺動可能に軸支されて、ストップばね１１２でロック解除レバー８９と係合する向きに付勢する。ロック解除レバー８９がストップレバー１１１でロック解除位置に係合保持された状態では、受動腕１１３がリフトピン４４の昇降軌跡と交差している。図１９に示すように、フック体７２から分離したリフトピン４４が下降移動する間に、受動腕１１３をストップばね１１２の付勢力に抗して揺動操作することによりストップレバー１１１を復帰操作して、ストップレバー１１３とロック解除レバー８９の係合を解除する。
【００２３】
連結ロッド９１に設けた解除操作ロッド１００の上端をばね受体８１の上方に突出させる。伸縮ロック具６を緩め操作して床側パイプ５の内部に天井側パイプ４を差込んだ状態において、天井側パイプ４の下端で解除操作ロッド１００を下降操作してフック体７２をロック解除操作する。
【発明の効果】
【００２４】
本発明に係る突っ張り型支柱においては、床側パイプ５を上下スライド自在に支持する固定ベース２１と、床側パイプ５を上下操作する昇降機構と、床側パイプ５を突っ張り位置で下降不能にロックするロック機構などで突っ張り構造３を構成した。また、上下スライド可能に支持されるリフトピン４４と、リフトピン４４に揺動可能に連結される操作ペダル４５と、操作ペダル４５の踏込み力を受止めるペダル支持体４６などで昇降機構を構成して、操作ペダル４５を踏込むことにより床側パイプ５を突っ張り位置へ向かって上昇操作できるようにした。さらに、突っ張り位置へ移動した床側パイプ５ないし同パイプと同行移動する部材をロック機構で係合捕捉して、支柱本体１を突っ張り状態にロック保持できるようにした。
【００２５】
以上のように、本発明の突っ張り型支柱では、操作ペダル４５を踏込んで床側パイプ５を突っ張り位置へ上昇させ、上昇操作された支柱本体１をロック機構で下降不能にロック保持するので、操作ペダル４５を踏込む動作のみで支柱本体１を速やかに突っ張り固定できる。また、操作ペダル４５を踏込む際には、体重をかけながら操作ペダル４５を踏込んで床側パイプ５を上昇操作できるので、充分な腕力を備えていない非力なユーザーであっても、支柱本体１を確実かつ軽快に突っ張り固定できる。
【００２６】
ペダル支持体が回転自在なカムローラー４６で構成してある昇降機構においては、操作ペダル４５が踏込み操作されるとき、カム体５７の姿勢変動に追随しながらカムローラー４６が回転して、操作ペダル４５をリフトピン４４の周りに揺動させることができる。従って、操作ペダル４５の踏込み操作を円滑に行って、床側パイプ５およびリフトピン４４を突っ張り位置へ向かって軽快に上昇操作できる。因みに、ペダル支持体が回転不能である場合には、カム体５７がペダル支持体に対して滑り移動しながら、操作ペダル４５がリフトピン４４の周りに揺動するので、カム体５７とペダル支持体との間の摩擦抵抗の分だけ操作ペダル４５の踏込み力が大きくなる。また、待機姿勢から踏込み下限姿勢まで踏込み操作されるときの操作ペダル４５の動きが、ぎくしゃくするのを避けられない。
【００２７】
ペダル支持体をリンク４６で構成し、その一端および他端を固定ベース２１および操作ペダル４５にそれぞれ相対回転可能に連結する昇降機構においては、操作ペダル４５が踏込み操作されるとき、リンク４６が操作ペダル４５の姿勢変動に追随しながら揺動して、操作ペダル４５をリフトピン４４の周りに円滑に揺動させることができる。また、リンク４６が操作ペダル４５の姿勢変動に追随して揺動する際には、両者４５・４６の連結点の位置が徐々に上昇するので、操作ペダル４５によるリフトピン４４の押上げ操作を、リンク４６で補助することができる。従って、操作ペダル４５の踏込み操作をより円滑に行って、床側パイプ５およびリフトピン４４を突っ張り位置へ向かって軽快に上昇操作できる。
【００２８】
床側パイプ５を、スライドベース３７を介して固定ベース２１で上下スライド自在に支持すると、床側パイプ５を固定ベース２１に沿って常に安定した状態で上下スライドできる。また、スライドベース３７の上端上方に位置するばね受座８２とスライドベース３７との間に補助ばね８３を設けて、スライドベース３７および床側パイプ５を補助ばね８３で押下げ付勢すると、ロック機構がロック解除されるのと同時に床側パイプ５を確実に下降操作できる。
【００２９】
フック体７２とロックピン７３を含むロック機構を設け、床側パイプ５が突っ張り位置へ移動操作された状態において、ロックピン７３をフック体７２で係合捕捉できるようにすると、操作ペダル４５を踏込み操作するだけで、支柱本体１を突っ張り状態にロック保持できる。従って、ユーザーはロック機構がロック状態に切換ったか否かを確認するまでもなく、操作ペダル４５を待機姿勢から踏込み下限姿勢まで踏込み操作するだけでよく、支柱本体１の押上げからロック保持に至る一連の操作を簡便にしかも速やかに行うことができる。
【００３０】
フック体７２をリフトピン４４の昇降軌跡の上部に臨んで配置し、リフトピン４４がロックピン７３を兼ねるようにしたロック機構によれば、別途ロックピン７３を設ける必要がないので、ロック機構の構造を簡素化してコスト削減に寄与することができる。また、リフトピン４４を利用してロック機構を構成するので、固定ベース２１の内部に収容される部品数を減らして、組立に要する手間を軽減できる。
【００３１】
リフトピン４４より上方位置に先導ピン５０を設け、操作ペダル４５が踏込み操作される際に、先導ピン５０でフック体７２をリフトピン４４の昇降軌跡の外へ退避操作できるようにすると、リフトピン４４がフック体７２に接当干渉するのを確実に防止しながら、
フック体７２でリフトピン４４を適正に係合捕捉できる。従って、ロック機構の信頼性を向上して、リフトピン４４をフック体７２で常に的確に係合捕捉できる。
【００３２】
固定ベース２１にロック解除機構を設け、操作ペダル４５にロック解除ペダル８８を設けると、ロック解除ペダル８８の踏込み操作に連動して、フック体７２をロック姿勢からロック解除姿勢に切換えることができる。従って、ユーザーは支柱に沿って起立した楽な姿勢で、ロック機構を簡便にロック解除操作できるので、支柱の撤去を速やかに行うことができる。
【００３３】
操作ペダル４５の踏枠部５５にロック解除ペダル８８を設け、その外面を開閉可能な保護カバー６０で覆うと、保護カバー６０を開放操作しない限りは、ロック解除ペダル８８が誤ってロック解除操作されるのを規制できるので、突っ張り型支柱の使用時の安全性を向上できる。支柱を設置する際には、保護カバー６０を閉じてロック解除ペダル８８の外面を覆っておくことにより、保護カバー６０を踏込む際にロック解除ペダル８８がロック解除操作されるのを防止できる。
【００３４】
ロック解除ペダル８８が操作ペダル４５とともに踏込み下限位置まで踏込み操作される状態において、ロック解除レバー８９が解除ペダル８８で下方揺動操作されるのに先行して、リフトピン４４が僅かに上昇してロック爪７６から分離させるようにした。こうしたロック機構によれば、リフトピン４４に作用する押下げ力を操作ペダル４５の踏込み力で支持した状態で、フック体７２をロック解除姿勢に切換えることができるので、フック体７２を軽快にしかも確実にロック解除操作できる。
【００３５】
ロック解除機構にストップレバー１１１を設け、ロック解除操作されたロック解除レバー８９をストップレバー１１１で位置保持できるようにすると、リフトピン４４がフック体７２から分離し終わるまでの間、フック体７２をロック解除姿勢に保持できる。従って、ロック機構をロック解除する過程で、リフトピン４４がフック体７２で捕捉係合されるのを防止して、操作ペダル４５を待機位置へ確実に復帰させることができる。また、フック体７２から分離したリフトピン４４が下降移動する間に、受動腕１１３をリフトピン４４で揺動操作して、ストップレバー１１１とロック解除レバー８９の係合を解除し、同レバー８９をリセットできる。このように、ロック解除時には、ロック解除レバー８９でロック体７２をロック解除姿勢に切換え、ストップレバー１１１でロック解除レバー８９を位置保持し、さらに、受動腕１１３をリフトピン４４でリセットするが、一連の動作は固定ベース２１の内部で自動的に行われるので、ロック解除時のユーザーの負担を著しく軽減できる。
【００３６】
連結ロッド９１に解除操作ロッド１００を設けておくと、伸縮ロック具６を緩めて床側パイプ５の内部に天井側パイプ４を差込み操作することにより、天井側パイプ４の下端で解除操作ロッド１００を下降操作してフック体７２をロック解除操作することができる。従って、ロック解除ペダル８８やロック解除レバー８９が動作不良に陥ることがあったとしても、フック体７２を確実にロック解除操作して、支柱の撤去作業を速やかに行うことができる。
【図面の簡単な説明】
【００３７】
【図１】本発明に係る突っ張り型支柱の内部構造を示す縦断正面図である。
【図２】突っ張り型支柱の使用例を示す正面図である。
【図３】突っ張り型支柱の支柱基部の正面図である。
【図４】突っ張り型支柱の一部破断正面図である。
【図５】リフトピンが待機位置にある状態の内部構造を示す縦断正面図である。
【図６】支柱基部の内部構造を示す分解断面図である。
【図７】固定ベースと同ベースに組まれる機構部品を示す分解断面図である。
【図８】図５におけるＡ−Ａ線断面図である。
【図９】操作ペダルおよびロック解除ペダルの分解斜視図である。
【図１０】昇降機構の機構部品を示す分解斜視図である。
【図１１】図１におけるＢ−Ｂ線断面図である。
【図１２】図１におけるＣ−Ｃ線断面図である。
【図１３】図１８におけるＤ−Ｄ線断面図である。
【図１４】ロック機構およびロック解除機構の機構部品を示す分解斜視図である。
【図１５】図１におけるＥ−Ｅ線断面図である。
【図１６】操作ペダルの踏込み動作を示す縦断側面図である。
【図１７】操作ペダルを踏込み下限位置まで踏込んだ状態の縦断側面図である。
【図１８】ロック解除ペダルを踏込んだ状態の縦断側面図である。
【図１９】操作ペダルおよびロック解除ペダルを開放した状態の縦断側面図である。
【図２０】ロック機構のロック解除操作方法の別形態を示す縦断側面図である。
【図２１】昇降機構の別の実施例を示す支柱基部の正面図である。
【発明を実施するための形態】
【００３８】
（実施例１）  図１ないし図２０は、本発明に係る突っ張り型支柱の実施例を示す。なお、本発明における前後、左右、上下とは、図２に示す交差矢印と、各矢印の近傍に表記した前後、左右、上下の表示に従う。図２に示すように、突っ張り型支柱は支柱本体１と、支柱本体１の突っ張り端部（上下端）に設けられる天井ベース２および突っ張り構造３などで構成する。支柱本体１は、相対スライド自在に差込み連結される天井側パイプ４および床側パイプ５とで構成してあり、床側パイプ５の天井側パイプ４との連結部分にパイプ同士の伸縮を阻止する伸縮ロック具６が設けてある。両パイプ４・５はそれぞれアルミニウム製の丸管で形成されている。天井側パイプ４の外直径は、床側パイプ５の内直径より小さく設定してあり、両パイプ４・５の差込み量を加減することにより、支柱本体１の上下長さを自由に変更することができる。また、伸縮ロック具６を締込み操作することにより、天井側パイプ４および床側パイプ５を任意の伸縮位置で相対移動不能に固定できる。この実施例では、天井と床との間に複数の突っ張り型支柱を設置し、隣接する支柱本体１に固定した継手８で手摺棒９の両端を支持して手摺を構成しており、支柱本体１が手摺棒９を支持する手摺支柱として機能している場合を示している。
【００３９】
図４に示すように天井ベース２は、下すぼまり状のベルマウス形に形成してあるベース本体１２と、ベース本体１２の内部中央に固定した連結筒１３と、連結筒１３と同筒に固定したボルト１４に沿って上下スライドするばね受筒１５と、ばね受筒１５と連結筒１３との間に配置した圧縮コイル形のばね（弾性体）１６を備えている。自由状態におけるばね受筒１５は、圧縮コイルばね１６の付勢力を受けてボルト１４の下部側へ押下げられて、ボルト１４に固定した座金１７で受止められており、この状態の受筒１５の下部は、連結筒１３の下開口の下方に突出している。天井ベース２の上面には滑止マット１８が固定してある。
【００４０】
突っ張り構造３は、床面に設置されて床側パイプ５を上下スライド自在に支持する固定ベース２１と、床側パイプ５を上下操作する昇降機構と、床側パイプ５を突っ張り位置で下降不能にロックするロック機構と、ロック機構をロック解除操作するロック解除機構などで構成してある。
【００４１】
（固定ベースの構造）  図５ないし図７に示すように、固定ベース２１は円盤状の台部２２と、台部２２の上面に突設したガイド部２３およびボス部２４を一体に備えたプラスチック成型品からなり、その下面側にカバー板２５と、滑止マット２６が固定してある。台部２２およびガイド部２３の内部には、先の各機構の構成部品を収容する上区画２７と下区画２８とが形成してあり、下区画２８の右側面にレバー窓２９が開口してある。上区画２７に臨むボス部２４の中央には、上側から順にねじ穴３０とガイド穴３１が上下貫通状に形成してある。上区画２７を間に挟む前後壁は、後述するスライドベース３７を上下スライド自在に案内支持するガイド壁３２として機能しており、この壁３２には広幅の下ガイド溝３３と、下ガイド溝３３の上端に連続する狭幅の上ガイド溝３４が形成してある。なお、床側パイプ５は工場で固定ベース２１に組付けた状態で出荷される。
【００４２】
床側パイプ５を固定ベース２１で上下スライド自在に案内支持するために、床側パイプ５の内部にスライドベース３７が固定してある。スライドベース３７は、内面が断面小判形に形成される上部の筒壁部３８と、筒壁部３８の下部に連続する前後一対のスライド脚３９とを一体に備えたプラスチック成型品からなり、筒壁部３８の上壁には、後述するばね受体８１を組むための挿通穴４０が形成してある。スライドベース３７を床側パイプ５の下端側からパイプ内に挿入し、図８に示すように床側パイプ５の外面から筒壁部３８の上部にビス４１をねじ込むことにより、スライドベース３７が床側パイプ５に固定してある。なお、床側パイプ５とスライドベース３７は、後述するリフトピン４４および先導ピン５０によっても相対移動不能に連結されている。
【００４３】
（昇降機構の構造）  図５および図８に示すように、昇降機構は床側パイプ５を前後に貫くリフトピン４４と、床側パイプ５の外に配置されてリフトピン４４の周りに揺動可能に支持される操作ペダル４５と、固定ベース２１で回転自在に軸支した前後一対のカムローラー（ペダル支持体）４６などで構成する。リフトピン４４はステンレス製の丸軸からなり、床側パイプ５とその外面に配置した補強ブロック４７を同時に貫通するように設けられて、ワッシャ体４８を介して軸端にねじ込んだボルト４９で床側パイプ５に固定してある。床側パイプ５のリフトピン４４より上方位置には、床側パイプ５と補強ブロック４８を同時に貫通する先導ピン５０が固定してあり、その軸端にねじ込んだボルト５１で床側パイプ５に固定してある。リフトピン４４は、先に説明した固定ベース２１の下ガイド溝３３で、先導ピン５０は上ガイド溝３４で、それぞれ上下スライドのみ可能に案内支持される。
【００４４】
図９において操作ペダル４５は、前後一対の勾玉形のペダル基部５４と、ペダル基部５４に連続する四角形状の踏枠部５５を一体に備えており、ペダル基部５４の端部に揺動穴
５６が形成してある。ペダル基部５４の下縁に沿って下突湾曲状のカム体５７が形成してある。踏枠部５５の上壁には、後述するロック解除ペダル８８を組むためのペダル窓５９が開口され、踏枠部５５の上面全体が開閉可能な保護カバー６０で覆われている。詳しくは、踏枠部５５のペダル基部５４側の側縁の前後に設けたブラケット６１と、保護カバー６０に設けた連結片６２とをカバーピン６３で連結することにより、保護カバー６０を踏枠部５５で開閉自在に支持している。踏枠部５５の上面を覆っている状態の保護カバー６０の上壁が、操作ペダル４５を踏込み操作するときの踏面となる。操作ペダル４５および保護カバー５８は、それぞれステンレス製のプレス金具からなる。ペダル基部５４の揺動穴５６を、補強ブロック４７に設けたペダル軸６４（図１２参照）で軸支することにより、操作ペダル４５の全体がリフトピン４４の周りに揺動可能に支持されて、ワッシャ体４８で抜止めされている（図８参照）。
【００４５】
図１０および図１３おいてカムローラー４６は、ローラーの周面前後にフランジが張り出してあるステンレス製のフランジ付ローラーからなり、下区画２８の上部を前後に貫通するローラーピン６７で回転自在に軸支してある。ローラーピン６７は、ワッシャ体６８を介して軸端にねじ込んだボルト６９で台部２２に固定してある。操作ペダル４５をペダル軸６２で軸支した状態では、ペダル基部５４に設けたカム体５７がカムローラー４６のローラー周面に常に外接している。
【００４６】
操作ペダル４５は、図５に示す待機位置と図１５に示す踏込み下限位置との間で上下揺動できる。操作ペダル４５が待機位置にあるときのリフトピン４４は、下ガイド溝３３の下端寄りに位置しており、先導ピン５０は下ガイド溝３３の上部に位置して上ガイド溝３４の下部に臨んでいる。また、操作ペダル４５が踏込み下限位置にあるときのリフトピン４４は、下ガイド溝３３の上端に位置しており、先導ピン５０は上ガイド溝３４の上端に位置している。操作ペダル４５が待機位置から踏込み下限位置まで踏込まれたときに、リフトピン４４が上昇移動した分だけ床側パイプ５を固定ベース２１から押上げ操作することができる。リフトピン４４が下ガイド溝３３の上端よりわずかに下降した位置、つまり、操作ペダル４５が踏込み下限位置からわずかに上方揺動して、床側パイプ５が上限位置から突っ張り位置へ下降移動した状態において、リフトピン４４をロック機構で係合捕捉して、支柱本体１を突っ張り状態にロック保持できるようにしている。この状態の圧縮コイルばね１６は、図４に示すように自由状態から圧縮変形されて、支柱本体１に突っ張り力を付与している。
【００４７】
（ロック機構の構造）  ロック機構は、固定ベース２１の上区画２７に配置されるフック体７２と、床側パイプ５と同行移動してフック体７２で下降移動不能に係合捕捉されるロックピン７３とからなる。この実施例では、先のリフトピン４４がロックピン７３を兼ねるようにした。図１４に示すようにフック体７２は、縦長のフック腕７４と、フック腕７４の上端に連続する二又状の連結腕７５とを一体に備えた、逆Ｌ字状のアルミニウム製のダイキャスト成型品からなる。フック腕７４と連結腕７５の交差隅部にはピン穴が形成され、連結腕７５の突端寄りには連結ピン穴が形成してある。フック腕７４の下端には、リフトピン４４を係合捕捉するロック爪７６が形成してあり、ロック爪７６の上側には、先導ピン５０で操作される受動カム７７が滑らかな湾曲面として形成してある。図１１に示すように、フック体７２は固定ベース２１のガイド壁３２に装着したフックピン７８で軸支されて、リフトピン４４を係合捕捉するロック姿勢（図１に示す状態）と、リフトピン４４との係合を解除するロック解除姿勢（図１８に示す状態）に揺動変位できる。
【００４８】
フック体７２がロック解除操作された状態において、床側パイプ５およびスライドベース３７を確実に下降移動させるために、図８に示すように、固定ベース２１の上端にばね受体８１を固定し、ばね受体８１の上端のばね受座８２とスライドベース３７との間に補助ばね８３を配置している。ばね受体８１の下端に設けたねじ軸８４を、固定ベース２１のボス部２４に設けたねじ穴３０にねじ込むことにより、ばね受体８１を固定ベース２１に固定でき、この状態のばね受座８２はスライドベース３７の上端上方に位置している。補助ばね８３が圧縮コイルばねからなり、常に床側パイプ５およびスライドベース３７を押下げ付勢している。ばね受体８１にはロッド穴８５が上下貫通状に形成してある。
【００４９】
フック体７２をロック姿勢からロック解除姿勢に切換えるために、固定ベース２１の上区画２７および下区画２８にロック解除機構を設け、操作ペダル４５にロック解除機構を切換え操作するロック解除ペダル８８を設けている。
【００５０】
（ロック解除機構の構造）  図５および図７において、ロック解除機構は、固定ベース２１の下区画２８に収容されるロック解除レバー８９と、ロック解除レバー８９を上向きに復帰付勢するレバーばね（ばね）９０と、ロック解除レバー８９の揺動動作をフック体７２に伝える連結ロッド９１と、連結ロッド９１を上向きに復帰付勢するロッドばね（ばね）９２と、ロック解除レバー８９をロック解除位置で位置保持する位置保持機構などで構成する。図１３および図１４に示すように、ロック解除レバー８９は、一端に二又状のボス部９５を有し、他端にロック解除ペダル８８で押下げ操作される受動部９６を備えたプラスチック成型品からなり、ボス部９５を先に説明したローラーピン６７で軸支することにより、上下揺動可能に支持してある。この状態のロック解除レバー８９は、その上面の平坦面がレバー窓２９の上壁で受止められて待機状態に保持されて、受動部９６がレバー窓２９から固定ベース２１の外面に突出している。
【００５１】
連結ロッド９１は、下半側を占める角軸状の伝動ロッド９７と、伝動ロッド９７の下端前後に設けた従動ピース９８と、伝動ロッド９７の上端から横向きに張出した連結ピース９９と、連結ロッド９１の上半側を占める丸軸状の解除操作ロッド１００とを一体に備えたプラスチック成型品からなる。図６に示すように、伝動ロッド９７を固定ベース２１の下区画２８の側から上区画２７の内部に組み、その連結ピース９９をフック体７２の連結腕７５に連動ピン１０１で連結することにより、連結ロッド９１とフック体７２が連動可能に連結される。この状態の従動ピース９８は、ロッドばね８４で押し上げ付勢されてロック解除レバー８９の下面に接当している。また、図８に示すように、解除操作ロッド１００はばね受体８１のロッド穴８５を上下に貫通して、ばね受座８２の上方に突出している。
【００５２】
上記のように、連結ロッド９１は、固定ベース２１で上下スライドのみ可能に案内されて、その下端の従動ピース９８がロック解除レバー８９に連繋され、その上部の連結ピース９９がフック体７２に連動ピン１０１で連結してある。なお、フックピン７８で軸支されるピン穴は、左右に長い長穴で形成してあり、連動ピン１０１を支持するためにガイド壁３２に形成したピン穴は、上下に長い長穴で形成してある。これは、ロック解除レバー８９のロック解除動作を、連結ロッド９１を介してフック体７２に伝えるときに、フック体７２を円滑に揺動させてロック解除するためである。
【００５３】
（ロック解除ペダルの構造）  図９および図１５においてロック解除ペダル８８は、縦断面が三角形状の中空体からなるペダル本体１０４と、ペダル本体１０４を揺動付勢するペダルばね１０５とを備えている。ペダル本体１０４の一側下面には一対の連結爪１０６が折り曲げ形成してあり、ペダル本体１０４の他側にはペダル窓５９の周縁下面で受止められるストッパー片１０７が張り出してある。操作ペダル４５の踏枠部５５に組んだペダルピン１０８で先の連結爪１０６を軸支し、ペダルばね１０５でペダル本体１０４を押上げ付勢することにより、ペダル本体１０４を踏枠部５５の上面に突出させることができる。このように、踏枠部５５で出退揺動可能に支持したペダル本体１０４が、誤ってロック解除操作されるのを規制するために、ペダル本体１０４の外面を先に説明した保護カバー６０で覆っている。
【００５４】
図１６に示すように保護カバー６０を閉じた状態では、保護カバー６０を踏込み操作して操作ペダル４５のみを揺動操作でき、図１７に示すように操作ペダル４５が踏込み下限位置まで踏込まれたとしても、ロック解除ペダル８８がロック解除レバー８９に接触することはない。また、図１８に示すように保護カバー６０を開放した状態では、ロック解除ペダル８８を踏込み操作してロック解除レバー８９を下降揺動させ、連結ロッド９１を介してフック体７２を強制的にロック解除姿勢に切換えることができる。
【００５５】
ロック解除レバー８９がロック解除ペダル８８でロック解除姿勢に切換えられたのち、操作ペダル４５およびロック解除ペダル８８の踏込み力を開放すると、ロック解除レバー８９がレバーばね９０で待機状態に復帰されてしまう。また、ロック解除レバー８９が復帰揺動するのに伴って連結ロッド９１が上昇移動して、フック体７２がロック姿勢に戻り、リフトピン４４がフック腕７４で再捕捉されて、リフトピン４４をロック解除できないおそれがある。こうした、不具合を解消して、リフトピン４４を確実にロック解除するために、ロック解除レバー８９を位置保持機構でロック解除位置に位置保持できるようにしている。
【００５６】
図５および図１４において位置保持機構は、固定ベース２１の下区画２８の内部に収容されるストップレバー１１１と、ストップレバー１１１を係合付勢するストップばね１１２を備えている。ストップレバー１１１は、その上半に二又状の受動腕１１３を有し、下端にストップ爪１１４を有する、上下に長いＪ字状のレバーからなり、レバーの中途部がレバーピン１１５で揺動可能に支持してある。ストップレバー１１１をレバーピン１１５で支持した状態において、受動腕１１３は下ガイド溝３３に隣接しており、ストップ爪１１４を備えた下半レバー部は、ロック解除レバー８９のボス部９５の上周面に臨んでいる。ロック解除レバー８９のボス部９５の周面には、ストップ爪１１４と係合するストップ溝１１６が形成してある。ストップばね１１２は圧縮コイルばねからなり、図５において、ストップレバー１１１をレバーピン１１５の周りに反時計回転方向へ揺動付勢している。これにより、ストップレバー１１１は、そのストップ爪１１４がストップ溝１１６と係合する向きに付勢される。
【００５７】
以下、支柱本体１を天井と床との間に設置する際の一連の手順と、ロック機構をロック解除操作して、支柱本体１を撤去する際の手順を説明する。まず、床側パイプ５に天井側パイプ４を差込んだのち、支柱本体１を設置すべき位置の床面に固定ベース２１を載置し、天井側パイプ４を床側パイプ５から抜き出して、天井側パイプ４の上端に装着した天井ベース２を天井に押付け気味にあてがって、伸縮ロック具６を締込み操作（ねじ込み操作）して支柱本体１を仮組みする。このときの操作ペダル４５は、図３および図５に示す待機位置にあって、カム体５７がカムローラー４６で受止められた状態で、ペダル全体がペダル遊端へ向かって上り傾斜している。また、リフトピン４４は下ガイド溝３３の下端寄りに位置しており、先導ピン５０は下ガイド溝３３の上部に位置して上ガイド溝３４の下部に臨んでいる。さらに、フック体７２のロック爪７６はリフトピン４４の移動軌跡と交差し、受動カム７７は先導ピン５０の移動軌跡と交差している（図５参照）。
【００５８】
上記の状態で、図１６に示すように操作ペダル４５を足で踏込むと、操作ペダル４５がカムローラー４６から踏込み反力を受けながらリフトピン４４の周りに揺動して、リフトピン４４と先導ピン５０を上向きに同時にスライド操作する。このとき、カムローラー４６はカム体５７の姿勢変動に追随しながら回転して、操作ペダル４５をリフトピン４４の周りに揺動させることができる。従って、操作ペダル４５の踏込み操作を円滑に行って、床側パイプ５およびリフトピン４４を突っ張り位置へ向かって軽快に上昇操作できる。このときのペダル基部５４の動作は、リフトピン４４の周りの揺動動作と、カムローラー４６に接近する動作とが合成された動作となっており、操作ペダル４５の揺動半径が小さく、かつ踏込み角度が比較的小さい（５３度）にも拘らず、リフトピン４４を的確に押し上げ操作できる。リフトピン４４の上方スライドに伴って、支柱本体１が床側パイプ５とともにリフト操作される。先導ピン５０は、上ガイド溝３４に沿って上向きにスライドし、リフトピン４４がロック爪７６に接当するのに先行して受動カム７７に接当して、フック体７２をリフトピン４４の昇降軌跡の外へ退避操作する。
【００５９】
引き続き操作ペダル４５を踏込み操作すると、リフトピン４４がロック爪７６の先端を通り抜け、さらに先導ピン５０が受動カム７７を乗越えた時点で、フック体７２は自重によるモーメントで、フックピン７８の周りに揺動して係合姿勢に切換る。図１７に示すように、操作ペダル４５を踏込み下限位置まで踏込んだ状態では、ロック爪７６はリフトピン４４の昇降軌跡と交差する状態になって、リフトピン４４の下周面とわずかな隙間を介して対向している。踏込み下限位置におけるリフトピン４４と先導ピン５０は、それぞれ下ガイド溝３３の上端と上ガイド溝３４の上端に位置している。
【００６０】
上記の状態で操作ペダル４５に対する踏込み力を開放すると、操作ペダル４５がばね１６および補助ばね８３のばね力を受けて僅かに上向きへ揺動するため、図１に示すようにリフトピン４４がロック爪７６で受止め係合される。この状態の支柱本体１は、図４に示すように、ばね受筒１５を介してばね１６を圧縮変形させているので、ばね１６の圧縮量に見合う弾性力が天井ベース２および固定ベース２１に作用し、支柱本体１を設置固定できる。なお、操作ペダル４５を踏込み開始から踏込み下限位置まで踏込む動作は一連の動作として連続しており、１回の踏込み動作を行うだけで支柱本体１を簡単に押上げ操作できる。また、体重をかけながら操作ペダル４５を踏込み操作することができるので、非力なユーザーであっても支柱本体１を確実に設置することができる。支柱本体１を設置した状態では、図１に示すように、床側パイプ５の下端と固定ベース２１の上端との間において下ガイド溝３３が露出し、異物が下ガイド溝３３から侵入するおそれがある。こうした異物の侵入を防ぎ、しかも支柱の外観を整えるために、図４に示すように、化粧カバー１１８を床側パイプ５の下端と固定ベース２１の上端との間に装着して、下ガイド溝３３の外面を覆い隠すことができる。化粧カバー１１８は一対の半円筒１１９からなり、半円筒１１９の接合面同士を係合することにより、丸筒状態を維持することができる。
【００６１】
支柱本体１を撤去する場合には、保護カバー６０を開放操作して、ロック解除ペダル８８を露出させ、図１８に示すように、ロック解除ペダル８８を踏込み操作した状態で、操作ペダル４５を踏込み下限位置まで踏込む。これにより、リフトピン４４が僅かに上昇してロック爪７６から分離する。また、解除ペダル８８の底壁がロック解除レバー８９に接当して、同レバー８９をローラーピン６７の周りに下方揺動操作する。さらに、ロック解除レバー８９が下方揺動した分だけ連結ロッド９１が下降操作されて、フック体７２がフックピン７８の周りに時計回転方向へ揺動操作され、ロック爪７６がリフトピン４４から離脱してロック解除状態に切換る。上記のように、ロック解除レバー８９が解除ペダル８８で下方揺動操作されるのに先行して、リフトピン４４を上昇させてロック爪７６から分離させるようにすると、リフトピン４４に作用する押下げ力を操作ペダル４５の踏込み力で支持した状態で、フック体７２をロック解除姿勢に切換えることができるので、フック体７２を軽快にしかも確実にロック解除操作できる。
【００６２】
ロック解除レバー８９が下方揺動するのに伴って、それまでボス部９５の周面に接当していたストップ爪１１４がストップ溝１１６に落込み係合し、ストップレバー１１１の全体がレバーピン１１５の周りに反時計回転方向へ揺動して、受動腕１１３がリフトピン４４の移動軌跡と交差する。つまり、ロック解除レバー８９をストップレバー１１１でロック解除位置に位置保持して、リフトピン４４がロック爪７６で捕捉係合されるのを防止している。
【００６３】
ストップ爪１１４がストップ溝１１６に落込み係合したのちに、ロック解除ペダル８８の踏込み力を開放すると、図１９に示すように、操作ペダル４５がリフトピン４４の周りに反時計回転方向へ揺動する。この揺動動作に伴って、リフトピン４４および先導ピン５０はフック体７２のロック爪７６および受動カム７７を押しのけながら下降移動する。さらに、リフトピン４４は受動腕１１３をストップばね１１２の付勢力に抗しながらレバーピン１１５の周りに時計回転方向へ揺動操作する。これにより、ストップ爪１１４がストップ溝１１６から離脱し、離脱と同時にロック解除レバー８９がレバーばね９０の付勢力を受けてローラーピン６７の周りに反時計回転方向へ揺動するので、ストップ爪１１４は再びボス部９５の周面で受止められる。そして、操作ペダル４５はばね１６および補助ばね８３のばね力を受けて上向きに揺動し、待機位置へと復帰する。また、ロック解除レバー８９の上方揺動に伴って、連結ロッド９１が上方移動してフック体７２を図５に示す姿勢に戻す。
【００６４】
フック体７２は、上記とは異なる方法でロック解除姿勢に切換えることができる。その場合には、伸縮ロック具６を緩めて天井側パイプ４の拘束を解き、床側パイプ５の内部に差込む。図２０に示すように、天井側パイプ４の下端にはエンドキャップ１２０が固定してあるので、天井側パイプ４をばね受体８１の近傍にまで差し込むと、エンドキャップ１２０が解除操作ロッド１００に接当して連結ロッド９１を押下げ操作する。これに伴いフック体７２が連動ピン１０１で押下げ操作され、フックピン７８の周りに時計回転方向へ揺動してロック解除姿勢に切換わる。
【００６５】
図２１は昇降機構の別の実施例を示している。そこでは、ペダル支持体をリンク４６で構成して、リンク４６の上下端を、それぞれリンクピン１２２・１２３を介して固定ベース２１と操作ペダル４５に相対回転可能に連結した。操作ペダル４５が踏込み操作される状態では、操作ペダル４５がリンク４６から踏込み反力を受けながらリフトピン４４の周りに揺動して、床側パイプ５およびリフトピン４４を突っ張り位置へ向かって上昇操作する。床側パイプ５が上昇操作される過程におけるリンク４６は、図２１に示す傾斜姿勢から下側のリンクピン１２３を中心にして反時計回転方向へ揺動し、操作ペダル４５が踏込み下限位置まで踏込まれた状態では、ほぼ垂直になる状態で起立する。他は先の実施例と同じであるので、同じ部材に同じ符号を付して、その説明を省略する。
【００６６】
上記のように、ペダル支持体をリンク４６で構成した昇降機構においては、操作ペダル４５が踏込み操作されるとき、リンク４６が操作ペダル４５の姿勢変動に追随しながら揺動して、操作ペダル４５をリフトピン４４の周りに円滑に揺動させることができる。また、リンク４６が操作ペダル４５の姿勢変動に追随して揺動する際には、両者４５・４６の連結点の位置が徐々に上昇するので、操作ペダル４５によるリフトピン４４の押上げ操作を、リンク４６で補助することができる。従って、操作ペダル４５の踏込み操作をより円滑に行って、床側パイプ５およびリフトピン４４を突っ張り位置へ向かって軽快に上昇操作できる。
【００６７】
天井ベース２に配置される弾性体１６としては、圧縮コイル形のばねである必要はなくゴム塊で形成してあってもよい。支柱本体１は、天井側パイプ４と床側パイプ５で構成する必要はなく、伸縮可能に連結される３以上のパイプで構成してあってもよい。また、天井側パイプ４は中実の棒状体で形成してあってもよい。リフトピン４４とは別にロックピン７３を設け、同ピン７３を床側パイプ５に同行移動可能に固定してもよい。その場合には、ロックピン７３をフック体７２で係合捕捉することにより、支柱本体１を突っ張り状態にロック保持するができる。
【００６８】
上記の実施例では、支柱本体１が手摺棒９を支持する手摺支柱として機能する使用例を示しが、突っ張り型支柱の適用例は手摺以外であってもよい。例えば、薄型テレビを支持する支柱や、腰掛姿勢から起立するのを補助する補助ハンドル用の支柱として使用することができる。
【符号の説明】
【００６９】
１  支柱本体
２  天井ベース
３  突っ張り構造
４  天井側パイプ
５  床側パイプ
６  伸縮ロック具
２１  固定ベース
３３  下ガイド溝
３４  上ガイド溝
４４  リフトピン
４５  操作ペダル
４６  ペダル支持体、カムローラー、リンク
５０  先導ピン
５７  カム体
６０  保護カバー
７２  フック体
７３  ロックピン
７６  ロック爪
８８  ロック解除ペダル
８９  ロック解除レバー
９１  連結ロッド
【図１】
2016125631.tif 000003
【図２】
2016125631.tif 000004
【図３】
2016125631.tif 000005
【図４】
2016125631.tif 000006
【図５】
2016125631.tif 000007
【図６】
2016125631.tif 000008
【図７】
2016125631.tif 000009
【図８】
2016125631.tif 000010
【図９】
2016125631.tif 000011
【図１０】
2016125631.tif 000012
【図１１】
2016125631.tif 000013
【図１２】
2016125631.tif 000014
【図１３】
2016125631.tif 000015
【図１４】
2016125631.tif 000016
【図１５】
2016125631.tif 000017
【図１６】
2016125631.tif 000018
【図１７】
2016125631.tif 000019
【図１８】
2016125631.tif 000020
【図１９】
2016125631.tif 000021
【図２０】
2016125631.tif 000022
【図２１】
2016125631.tif 000023